(57)【要約】      （修正有）【課題】顔面形状に合わせた立体形状に容易に固定保持でき、顔面への密着性を格段に向上させた顔用保冷保温具を提供する。【解決手段】顔用保冷保温具１は、内部に保冷保温ゲル３が充填封入された多層フィルムから形成された袋体２と、袋体に設けられ、顔面に向けて凹状の立体形状に固定保持する固定部材１３と、を具備する。また、固定部材は袋体に形成された鼻部に相当する部分の通気孔７よりも顎部に相当する側の袋体の左右両側部分１１に配設される。【選択図】図１
2018143422.tif 000002
【特許請求の範囲】
【請求項１】
内部に保冷保温ゲルが充填封入された多層フィルムから形成された袋体と、
前記袋体に設けられ、顔面に向けて凹状の立体形状に固定保持する固定部材と、
を具備することを特徴とする顔用保冷保温具。
【請求項２】
前記固定部材は、前記袋体に形成された鼻部に相当する部分の通気孔よりも顎部に相当する側の前記袋体の左右両側部分に配設されていることを特徴とする請求項１に記載の顔用保冷保温具。
【請求項３】
前記袋体は、熱溶着により形成されたタック部を有し、前記タック部の近傍に前記固定部材が配設されていることを特徴とする請求項１または請求項２に記載の顔用保冷保温具。
【請求項４】
前記袋体は、前記立体形状の大きさを選択的に変更できるように、前記固定部材が複数設けられていることを特徴とする請求項１から請求項３のいずれか１項に記載の顔用保冷保温具。
【請求項５】
前記固定部材は、スナップホックであることを特徴とする請求項１から請求項４のいずれか１項に記載の顔用保冷保温具。
【発明の詳細な説明】
【技術分野】
【０００１】
本発明は、内部にゲル状の蓄熱材が充填封止されたフェイスマスク型の顔用保冷保温具に関する。
【背景技術】
【０００２】
従来から、顔面に冷温刺激を与えると、皮膚の活性化と新陳代謝がうながされ、肌が引き締められたり、化粧のりが良くなったりする美顔効果、肌荒れ、浮腫、眼の充血あるいは炎症などの治療効果があるとされている。
【０００３】
そのため、例えば、特許文献１に開示されるようなゲル状の蓄熱材をフェイスマスク型として、顔全体を覆う円形状で、目、鼻、口に当たる部分に切り込みを入れたり穴をあけたりした袋に充填した顔用保冷保温具である冷却マスクが知られている。
【先行技術文献】
【特許文献】
【０００４】
【特許文献１】実願平６−１０６０１号
【発明の概要】
【発明が解決しようとする課題】
【０００５】
しかしながら、従来の冷却マスクは、繰り返し使用できるため経済的であるが、耐久性が必要であり、使用中に袋が破損したり、経時で蓄熱材の水分などが袋から抜けたりしないように、袋の材質は突き刺し強度、座屈強度およびバリアー性が高いものを選定し、耐圧強度のある袋形状にする必要がある。
【０００６】
そのため、蓄熱材を充填する袋（以下、ゲル袋）は、どうしても硬くコシのあるものになり、流動性のある蓄熱材（以下、ゲル）を充填しても、凹凸のある顔面への密着性が低下するという問題があった。
【０００７】
また、フェイスマスク型のゲル袋に、特許文献１の考案に開示されるようなゲル袋を頭に固定するための巻き付けベルトを付けることで、顔面への密着性を高めることができるが、ゲルを充填し保冷保温具とした場合、巻き付けベルトのない部分は顔面から浮いてしまうという課題があった。
【０００８】
さらに、巻き付けベルトによる圧迫感があり使用感が悪く、巻き付けベルトを設けることで部品点数および製品加工数が多くなり高コストとなるばかりか、生産性が低下するという問題もある。
【０００９】
そこで、本発明は上記事情に鑑みてなされたものであり、顔面形状に合わせた立体形状に容易に固定保持でき、顔面への密着性を格段に向上させた顔用保冷保温具を提供することである。
【課題を解決するための手段】
【００１０】
本発明の一態様における顔用保冷保温具は、内部に保冷保温ゲルが充填封入された多層フィルムから形成された袋体と、前記袋体に設けられ、顔面に向けて凹状の立体形状に固定保持する固定部材と、を具備する。
【発明の効果】
【００１１】
本発明によれば、顔面形状に合わせた立体形状に容易に固定保持でき、顔面への密着性を格段に向上させた顔用保冷保温具を実現できる。
【図面の簡単な説明】
【００１２】
【図１】保冷保温マスクの構成を示す正面図
【図２】保冷保温マスクの構成を示す背面図
【図３】ユーザによって固定部材を接合する状態を示す保冷保温マスクの平面図
【図４】固定部材を接合する状態を示す斜視図
【図５】ユーザの顔面に保冷保温マスクを載置する状態の斜視図
【図６】ユーザの顔面に保冷保温マスクを載置した状態の斜視図
【図７】第１の変形例の保冷保温マスクの構成を示す正面図
【図８】第２の変形例の保冷保温マスクの構成を示す正面図
【図９】第３の変形例の保冷保温マスクの構成を示す正面図
【図１０】第４の変形例の保冷保温マスクの構成を示す背面図
【発明を実施するための形態】
【００１３】
以下に、本発明の好ましい形態について図面を参照して説明する。  
なお、以下の説明に用いる図においては、各構成要素を図面上で認識可能な程度の大きさとするため、構成要素毎に縮尺を異ならせてあるものであり、本発明は、これらの図に記載された構成要素の数量、構成要素の形状、構成要素の大きさの比率、および各構成要素の相対的な位置関係のみに限定されるものではない。
【００１４】
図１は、保冷保温マスクの構成を示す正面図、図２は保冷保温マスクの構成を示す背面図、図３はユーザによって固定部材を接合する状態を示す保冷保温マスクの平面図、図４は固定部材を接合する状態を示す斜視図、図５はユーザの顔面に保冷保温マスクを載置する状態の斜視図、図６はユーザの顔面に保冷保温マスクを載置した状態の斜視図である。
【００１５】
また、以下の説明においては、図の紙面に向かって見た上下方向を構成要素の上部および下部として説明している場合がある。
【００１６】
本実施の形態の顔面保冷保温具としての美顔用の保冷保温マスク１は、図１および図２に示すように、顔全面を覆うに充分な面積を有する外装体である袋体２と、この袋体２内に水と水溶性高分子などのゲル化剤からなる保冷保温ゲル３が充填封入されている。
【００１７】
袋体２は、材質がＮｙ（ナイロンフィルム）、ＬＬＤＰＥ（リニアローデンシティポリエチレンフィルム）などの複数のフィルムから構成され、これらフィルムを積層した多層フィルム体として耐久性を向上させた構成となっている。保冷保温ゲル３は、吸水性ポリマー、水、防腐剤、色素などからなり、温冷いずれの状態でも流動性を有する構成となっている。
【００１８】
袋体２には、周囲が熱溶着部４によって水密に封止されて偏平状に形成され、その内部空間に保冷保温ゲル３が充填されている。また、袋体２は、鼻部および口部に相当する部分が開口するように熱溶着部５，６によって区画封止されて切り込みまたは抜き孔の通気孔７，８が形成されている。
【００１９】
また、袋体２は、鼻部に相当する通気孔７（図中Ｘで示す線）よりも下部側となる顎部に相当する部分の左右両脇に略三角形状に熱溶着された第１のタック部１１と、鼻部に相当する通気孔７よりも上部側となる額部に相当する部分の左右両脇に略三角形状に熱溶着された第２のタック部１２と、が形成されている。
【００２０】
これら第１のタック部１１および第２のタック部１２は、袋体２の中心線Ｏの線対称の位置に形成されている。そして、第１のタック部１１および第２のタック部１２の近傍それぞれには、ここではプラスチック製の雄雌一対となるスナップホックである２つの固定部材１３が袋体２の外縁部に沿って熱溶着部４を貫通してスタッドとホックが袋体２の背面、即ちユーザの顔に接触する側の面に設けられている。
【００２１】
以上のように構成された本実施の形態の保冷保温マスク１は、充填封止された保冷保温ゲル３の比熱が大きく保温、保冷いずれの場合にも与えられた温度の経時的変化が少なく持続性が良好であり、冷蔵庫などに入れて例えば３〜５℃程度に冷却され、または湯中に投じられて、例えば４０〜４５℃に加熱されて使用される。
【００２２】
このとき、ユーザは、図３に示すように、保冷保温マスク１の第１のタック部１１を表面側が山となるように抓んで折ると共に、図４に示す２つの固定部材１３を接合して背面側が凹状となるお椀型の立体形状に固定保持する。
【００２３】
そして、図５から図６に示すように、背面側が凹状となった保冷保温マスク１を顔面上に載置する。このとき、図６に示すように、保冷保温マスク１は、特に凹凸となる鼻部分は、切り込みまたは抜き孔が入れられた通気孔７が自然開口する。
【００２４】
以上説明した本実施の形態の保冷保温マスク１は、顔面の密着性を高める構成として、耐久性を向上した袋体２は硬くコシのあるものなので偏平状に戻ろうとするが、この袋体２の下部側の左右両側部分に２つのタック部１１を設けて、これら２つのタック部１１を折って固定する固定部材１３によって背面側が凹状となるお椀型の立体形状に保持固定できる構成となっている。
【００２５】
特に、鼻と顎の部分は、顔の凹凸となっており保冷保温マスク１が浮いてしまい顔への密着性が悪くなってしまうが、顎部分の凸形状に合わせて保冷保温マスク１の立体形状を固定保持できるため、保冷保温マスク１の顎への密着性が向上し、加えて鼻部分の通気孔７が自然開口して鼻部分との密着性も向上する。
【００２６】
また、保冷保温マスク１は、従来のような頭に固定するための巻き付けベルトが無くても、顔面への密着性を向上させることができ、タック部１１を形成してスナップホックなどの安価な固定部材１３を用いることで取り付けが容易であり生産性が良く製造コストも低減させることができる。
【００２７】
以上から本実施の形態の保冷保温マスク１は、ユーザの顔面形状に合わせた立体形状に容易に固定保持でき、顔面への密着性を格段に向上させることができる構成となっている。
【００２８】
（第１の変形例）
図７は、第１の変形例の保冷保温マスクの構成を示す正面図である。  
図７に示すように、保冷保温マスク１の袋体２は、鼻部および口部に相当する部分が連通して開口するように熱溶着部５，６によって区画封止されて切り込みまたは抜き孔の通気孔７，８を形成してもよい。
【００２９】
ここでは、鼻部に相当する部分の通気孔７が口部に相当する部分の通気孔８に向かったＶ字形状に切り込みされている。これにより、本変形例の保冷保温マスク１では、ユーザの鼻頭部にもＶ字状となった保冷保温ゲル３が充填封止された部分を接触させることができる構成となる。
【００３０】
（第２の変形例）
図８は、第２の変形例の保冷保温マスクの構成を示す正面図である。  
図８に示すように、保冷保温マスク１は、第１のタック部１１および第２のタック部１２の近傍それぞれに複数、ここでは２対の固定部材１３を袋体２の外縁部に沿って設けられていてもよい。
【００３１】
このように、本変形例の保冷保温マスク１は、背面側が凹状となるお椀型の立体形状に固定する際、複数の固定部材１３を選択的に接合することで、ユーザの顔の大きさに合わせた大きさの形状とすることができる。
【００３２】
（第３の変形例）
図９は、第３の変形例の保冷保温マスクの構成を示す正面図である。  
図９に示すように、保冷保温マスク１は、第１のタック部１１が設けられておらず、袋体２の外縁部に沿って熱溶着部４を貫通する固定部材１３のみが設けられた構成としてもよい。
【００３３】
本変形例の保冷保温マスク１では、保冷保温ゲル３が流動性を備えているため、第１のタック部１１を設けなくても袋体２内で保冷保温ゲル３を潰すように移動させて袋体２を折って固定部材１３を接合させることで、背面側が凹状となるお椀型の立体形状に固定することができる。
【００３４】
（第４の変形例）
図１０は、第４の変形例の保冷保温マスクの構成を示す背面図である。  
図１０に示すように、背面側が凹状となるお椀型の立体形状に固定する固定部は、スナップホックではなく、例えば、第１のタック部１１の背面側および、この第１のタック部１１の近傍の袋体２の背面側の外縁部に沿った熱溶着部４に再剥離性を有する接着部１４を設けてもよい。この接着部１４は、生体適合性を備え、再剥離性を有したシリコーン系、ウレタン系の接着シートなどである。
【００３５】
これにより、本変形例の保冷保温マスク１は、第２の変形例と同様に、背面側が凹状となるお椀型の立体形状に固定する際、接着部１４の接合範囲を選択的に接着することで、ユーザの顔の大きさ、および顎部のライン形状に合わせた形状とすることができる。
なお、第３の変形例に記載したように、第１のタック部１１を設けず、接着部１４のみが設けられた構成としてもよい。なお、接着部１４を広範囲に設けることで、種々の顔の大きさ、および種々の顎部のライン形状に合うように選択することができる。
即ち、保冷保温ゲル３が流動性を備えているため、袋体２内で保冷保温ゲル３を潰すように移動させて袋体２を所望の箇所で折って接着部１４を接着させることで、保冷保温マスク１の背面側が凹状となるお椀型の立体形状を保持することができる。また、この接着部１４を面ファスナーに変えてもよい。
【００３６】
以上に記載の本実施の形態および第１の変形例から第４の変形例は、それぞれを組み合わせることができる構成も含まれている。また、本発明は、それらの形態に限ることなく、その他、実施段階ではその要旨を逸脱しない範囲で種々の変形を実施し得ることが可能である。
【符号の説明】
【００３７】
１…保冷保温マスク
２…袋体
３…保冷保温ゲル
４，５，６…熱溶着部
７，８…通気孔
１１…第１のタック部
１２…第２のタック部
１３…固定部材
１４…接着部
Ｏ…中心線
【図１】
2018143422.tif 000003
【図２】
2018143422.tif 000004
【図３】
2018143422.tif 000005
【図４】
2018143422.tif 000006
【図５】
2018143422.tif 000007
【図６】
2018143422.tif 000008
【図７】
2018143422.tif 000009
【図８】
2018143422.tif 000010
【図９】
2018143422.tif 000011
【図１０】
2018143422.tif 000012